(57)【要約】【課題】人が死亡した時に親族などに伝えておきたい私的な情報をフラシュメモリに保存してそれを位牌の内部のトレーに収納し、その人が死亡した時にその情報が速やかに伝達されるように構成した位牌を提供する【解決手段】台座部と該台座部に嵌脱自在に嵌合できる札板部とから成る位牌で、その台座部は札板部の下部を保持するコの字型の枠体を形成し、その札板部は内部が中空で下端部が開口した鞘状を呈した鞘部とその内部に摺動自在に収納したトレーを具備し、その鞘部の長手方向下端部の外面片側に台座部のコの字型の開口部を塞ぐ長方型の枠組みを形成する嵌合ピンを備えた嵌合枠と台座部のコの字型の枠体に設けられた嵌合孔とを嵌合させることにより位牌は成形される。そして故人の私的な情報を保存したフラッシュメモリをトレーに収納しそれを鞘部に収めた札板部を台座部に嵌合させる。【選択図】  図６
2019208577.tif 000002
【特許請求の範囲】
【請求項１】
台座部と札板部と、から成る位牌であって、
前記台座部は前記札板部の下部を保持する高さを有したコの字型に形成された枠体を備え、
前記札板部は内部が中空で下端部が開口した鞘状を呈した鞘部と、
前記鞘部の内部に摺動自在に収納したトレーと、で構成され、
前記鞘部は該鞘部の長手方向下端部の外面片側に前記コの字型の枠体の開口部を塞ぐ長方型の枠組みを形成する嵌合枠を備えたことを特徴とするトレーを具備した位牌。
【請求項２】
前記トレーは平板状で、
その下端部を除く外周部に前記鞘部の内面短手方向に摺動自在に摺接する外縁部を形成し、
下部には下縁部を備え、
前記下縁部は前記コの字型の枠体の高さを下回る位置に設けられ、
前記下縁部の外面中央部に前記平板状のトレーの下端部に収まる突出した引手を備え、
前記引手は前記鞘部の内部に係止する係止手段を備えたことを特徴とする請求項１に記載のトレーを具備した位牌。
【請求項３】
前記引手は前記トレーを前記鞘部の内部を摺動自在に摺動させその縦方向中央部に上下に摺動可能な係止棒を備え、
前記係止棒は下縁部の短手方向の長さを有し、
頭部に摘み部を備え、
下部に係止突部を備え、
そして前記鞘部に設けた前記嵌合枠を備えた側の内面下部の中央部に前記係止突部が係脱自在に嵌合係止する係止孔を設け、
前記トレーを前記鞘部の内部に係止することができる前記係止棒を備えたことを特徴とする請求項１乃至２に記載のトレーを具備した位牌。
【請求項４】
前記コの字型の枠体は左右の断面中央部に嵌合孔を備え、
前記鞘部に設けられた前記嵌合枠はその左右に前記嵌合孔に嵌合係止する嵌合ピンを備え、
前記嵌合ピンが前記嵌合孔に嵌脱自在に嵌合することにより前記鞘部の内部に前記トレーを係止状態で収納した前記札板部と前記台座部とが一体化し、
前記札板部が前記台座部に立設するように構成したことを特徴とする請求項１から請求項３のいずれか１項に記載のトレーを具備した位牌。
【請求項５】
前記トレーはＵＳＢメモリ、ＳＤメモリカード、ミニＳＤカード、マイクロＳＤカード、などのフラッシュメモリのいずれかを少なくとも一つを出し入れ自在に格納できるように構成したことを特徴とする請求項２に記載のトレーを具備した位牌。
【請求項６】
前記フラシュメモリは本人が死亡した後に、その人の葬儀やその人の所有する財産又は相続などに関する私的な情報、又は生前の写真、動画、音声などのアーカイブデータを親族などのために保存した記憶メディアであって、  
そのフラッシュメモリを前記位牌の内部に設けた前記トレーに格納して保全できるようにし、その人が死亡した時にそのフラッシュメモリが情報伝達手段として機能するように構成したことを特徴とする請求項５に記載のトレーを具備した位牌。
【請求項７】
前記トレーは前記フラッシュメモリを内部に係止させる係止マットを備えたことを特徴とする請求項５に記載のトレーを具備した位牌。  
【発明の詳細な説明】
【技術分野】
【０００１】
本発明は、故人の私的な情報を保存したフラッシュメモリを収納するトレーを具備した位牌に関する。
【背景技術】
【０００２】
人が亡くなった場合、一般的に日本では火葬してから埋葬し、家庭内では仏壇に位牌や遺影が備えられている。
【０００３】
住宅事情や核家族化により仏壇を所有しないで位牌と遺影を飾る家庭もある。位牌には先祖代々使用できる札板が複数枚収納できる回出位牌もある。
【０００４】
近年、携帯電話、タブレット端末、スマートフォンなどのデジタルカメラ機能付きの携帯情報端末の普及により、多くの人がいつでもどこでも撮影や録音ができる状態となった。
【０００５】
インターネットの普及によりネット上での買い物や金融取引が容易になったが、そのウェブサイト上にログインするためにはＩＤやパスワードなどが必要となる。しかしその利用者が死亡した時に、親族などはそのログイン情報が不明なため財産の保全が困難となる場合がある上、その情報が書面で保存されたとしていても親族がそれを発見できるとは限らない。
【０００６】
位牌の台座部にお骨を収納できる納骨用の引出部を設けた収納スペースを備える位牌はあるがフラッシュメモリを収納するものではなかった。（例えば、特許文献１参照。）。
【０００７】
位牌の台座部の前面に遺影を設置できるようにしてその台座部の内部に収納スペースを設けて遺品などを収納できる位牌がある。(例えば、特許文献２参照。)。
【先行技術文献】
【特許文献】
【０００８】
【特許文献１】特開２０１４−１４６３４号公報
【特許文献２】特願平１１−３４６９０８号公報
【発明の概要】
【発明が解決しようとする課題】
【０００９】
近年の情報端末の普及によりインターネットを利用した銀行、証券、保険などの金融取引はネット上でほぼ完了するため、紙媒体とは異なり内容はその利用者しか判らないことが一般的である。そのためその利用者が死亡した時は放置状態となる可能性がある。
【００１０】
公正証書遺言のように公証役場に保管されている場合は遺言の保管場所が特定できるが、公正証書遺言以外の遺言を保全して格納できる保管場所がなかった。
【００１１】
近年、デジタルカメラ機能が付帯された携帯情報端末の普及により写真や動画の情報保存量が増加した。そのためその利用者が死亡した場合、写真や動画などアーカイブデータが記憶メディアに分散した状態で保存されているので、その記憶メディアの保管場所が特定できない問題があった。
【００１２】
インターネット上のクラウドサービスでは保存された情報を共有できるが、個人の財産や相続またはプライバシーに係わる私的な情報はセキュリティー上で漏洩などの問題が危惧される。そしてその利用者が死亡した場合は、親族などにその情報の存在を知らせる方法はなかった。
【００１３】
葬儀やお墓参りに行けない高齢者が増えた。
【００１４】
本発明は、前述のような問題を解決しようとすることであり、自分が死亡した場合に親族などに伝えたい私的な情報をフラシュメモリに保存して、それをトレーを具備した位牌に格納しておき、死亡時にはその情報を速やかに親族などに伝達できる機能を備えた位牌を提供することを目的としたことである。  
【課題を解決するための手段】
【００１５】
本課題を解決するためには位牌の対象となる者又はその親族が情報端末とフラッシュメモリを使用でき、そのフラッシュメモリに保存された情報を見ることができる環境であることを前提としたことである。
【００１６】
本発明は台座部と札板部と、から成る位牌であって、前記台座部は前記札板部の下部を保持する高さを有したコの字型に形成された枠体を備え、前記札板部は内部が中空で下端部が開口した鞘状を呈した鞘部と、前記鞘部の内部に摺動自在に収納したトレーと、で構成され、前記鞘部は該鞘部の長手方向下端部の外面片側に前記コの字型の枠体の開口部を塞ぐ長方型の枠組みを形成する嵌合枠を備えた。
【００１７】
前記トレーは平板状で、その下端部を除く外周部に前記鞘部の内面短手方向に摺動自在に摺接する外縁部を形成し、その下部に下縁部を備えた。その下縁部は前記コの字型の枠体の高さを下回る位置に設けられている。そして前記下縁部の外面中央部に前記トレーの下端部に収まる突出した引手を備え、前記引手は前記鞘部の内部に係止する係止手段を備えた。
【００１８】
前記引手は前記トレーを前記鞘部の内部を摺動自在に摺動させその縦方向中央部に上下に摺動可能な係止棒を備え、そして前記係止棒は下縁部の短手方向の長さを有し、頭部に摘み部を備え、下部に係止突部を備え、前記鞘部に設けた前記嵌合枠を備えた側の内面下部の中央部に前記係止突部が係脱自在に嵌合係止する係止孔を設け、前記トレーを前記鞘部の内部に係止することができる前記係止棒を備えた。
【００１９】
前記コの字型の枠体は左右の断面中央部に嵌合孔を備え、前記鞘部に設けられた前記嵌合枠はその左右に前記嵌合孔に嵌合係止する嵌合ピンを備え、前記嵌合ピンが前記嵌合孔に嵌脱自在に嵌合することにより前記鞘部の内部に前記トレーを係止状態で収納した前記札板部と前記台座部とが一体化し、前記札板部が前記台座部に立設するように構成した。その際前記鞘部に設けた隙間部は前記台座部のコの字型枠体に隠れるように構成されている。
【００２０】
前記トレーはＵＳＢメモリ、ＳＤメモリカード、ミニＳＤカード、マイクロＳＤカード、などのフラッシュメモリのいずれかを少なくとも一つを出し入れ自在に格納できるように構成した。
【００２１】
前記フラシュメモリは本人が死亡した後に、その人の葬儀やその人の所有する財産又は相続などに関する私的な情報、又は生前の写真、動画、音声などのアーカイブデータを親族などのために保存した記憶メディアであって、そのフラッシュメモリを前記位牌の内部に設けた前記トレーに格納して保全できるようにし、その人が死亡した時にそのフラッシュメモリが情報伝達手段として機能するように構成した。なお、親族がいない人もいるため親族などと記載した。
【００２２】
前記トレーは前記フラッシュメモリを保護するために内部に係止マットを備えた。
【発明の効果】
【００２３】
以下のような効果がある。
（１）故人の財産に関する情報は財産保全の効果がある。
（２）相続に関連した情報は遺産分割協議書の補足資料としての効果がある。
（３）動画や音声などは遺影とは異なり見ている人に感動を与える効果がある。
（４）フラッシュメモリを複製すれば複数の位牌を親族などに渡すことができる。
（５）マイクロＳＤカードを収納のする位牌であれば位牌は小型化できる。
（６）ペット用の位牌としても利用できる。
【図面の簡単な説明】
【００２４】
【図１】本発明の参考図で（ａ）は正面図、（ｂ）は側面図、（ｃ）は平面図である。
【図２】図１の（ａ）、（ｂ）、（ｃ）のそれぞれの内部構造を示す参考透視図である。
【図３】（ａ）トレーとトレーの内部にセットする係止マットとそのマットに係止するＳＤメモリカード、マイクロＳＤカード（以下図の説明においてフラッシュメモリと記す）を示す説明図、（ｂ）係止マットにフラッシュメモリを係止させたトレーを鞘部に挿入する前の状態を示す説明図である。
【図４】（ａ）フラッシュメモリを係止マットに係止させたトレーを鞘部の中に挿入した状態を示す拡大説明図、（ｂ）フラッシュメモリを係止マットに係止させたトレーを鞘部の内部に収めた状態を示す拡大説明図である。
【図５】（ａ）トレーが鞘部に係止する前を示す拡大説明図、（ｂ）トレーが鞘部に係止した状態を示す拡大説明図である。
【図６】フラッシュメモリを収納したトレーを鞘部に収めた状態の札板部を台座部に挿嵌する前の状態を示す拡大透視説明図である。
【発明を実施するための形態】
【００２５】
以下図１〜図６を用いて本発明に係わる位牌の実施例を説明する。
図１(ａ)（ｂ）に示す位牌１００は台座部１０と札板部２０とから成り、台座部１０は図６に示すコの字型の枠体１１を備えそのコの字型の枠体１１の左右の断面中央部に嵌合孔１２を備えている。札板部は図３(ｂ)に示す内部が中空で下端部が開口した鞘状の鞘部２１とその内部に収納自在に収納するトレー３０とから構成されている。
【００２６】
鞘部２１は図４(ｂ)に示す長手方向の下端部の外面片側に嵌合枠２２を備えている。図
５（ａ）（ｂ）に示すその嵌合枠２２は左右に嵌合ピン２３が左右に設けられている。そし
て図６に示すように左右の嵌合ピン２３がコの字型の枠体１１の左右の断面中央部に設けられた嵌合孔１２に嵌脱自在に嵌合できるように構成されている。
【００２７】
図４(ｂ)と図６に示すように鞘部２１に設けられた嵌合枠２２の反対側の面の下端部はコの字型の枠体１１から露出しないようにその高さに収まる隙間部２４を形成してある。
【００２８】
図３(ａ)に示すトレー３０は鞘部２１の内部に摺動自在に収納する平板状で縁部を備えている。その縁部は下端部を除く外周に外縁部３１を形成し、そして図４（ｂ)に示すように鞘部２１に設けた隙間部２４の面の下端部に重合する位置に下縁部３２が設けられトレー３０が収納物を保持するように構成されている。なお、外縁部３１は下縁部３２の左右両端までとしてもかまわない。
【００２９】
そして鞘部２１に隙間部２４を形成したことで図４（ａ）（ｂ）に示す下縁部３２の外側中央部にトレー３０の下端部に収まる突出した引手５０が設けられ更にその引手５０が図５(ａ)(ｂ)に示す係止手段を備えるように構成した。
【００３０】
図４（ａ）に示すトレー３０を鞘部２１の内部に係止させる係止手段は図５（ａ）（ｂ）に示すように引手５０の中央部に上下に摺動自在の係止棒５１を設け、係止棒５１はトレー３０が鞘部２１に係脱するための摘み部５２を頭部に備え、下部には嵌合係止させるための係止突部５３が設けられている。そして図４（ｂ）と図５（ａ）（ｂ）に示すように鞘部２１に設けた嵌合枠２２側の内側下部に係止突部５３が嵌合係止する係止孔５４を設けた。
【００３１】
鞘部２１の内部にトレー３０を係止させる時は図５（ｂ）に示すように摘み部５２を下部方向に押し下げトレー３０を摺動させる時は図５（ａ）に示すように摘み部５２を上部方向に引くことにより係脱できるようにした。なお係止棒５１は引手５０に係合状態で保持されるように頭部と下部が係止棒５１を保持する孔より太くなるように構成した。なお、引手５０は下縁部３２の外面中央部からトレー３０の下端部に収まる長さであれば棒状であっても平板状であってもかまわない。
【００３２】
図３に示すようにトレー３０はその収納スペースにＳＤメモリカード６１やマイクロＳＤカード６２などのフラッシュメモリを保持できるように係止マット６０を備えている。
なお、トレー３０の大きさにもよるがＵＳＢメモリでもミニＳＤカードでも係止マットの係止枠を適宜その大きさに合わせれば複数のフラッシュメモリを収納することができるようになっている。
【００３３】
図４(ｂ)に示すフラッシュメモリを収納したトレー３０を鞘部２１に収め図５(ｂ)に示す係止棒５１に設けた摘み部５２を下部方向に押すことによりトレー３０を鞘部２１に係止させる。
【００３４】
そして図６に示すようにフラッシュメモを収納したトレー３０を鞘部２１に収めた札板部２０を鞘部２１に設けた嵌合枠２２の左右の嵌合ピン２３を台座部１０に形成したコの字型の枠体１１の左右の嵌合孔１２に挿嵌させることにより札板部２０と台座部１０とが一体化して札板部２０は台座部１０に立設して図１(ａ)に示す位牌１００が形成できるように構成されている。
【００３５】
（フラッシュメモリに保存する情報について）
フラッシュメモリに保存する私的な情報については生前に本位牌を購入して自身が私的な情報を整理してフラッシュメモリに保存し、それを本発明の位牌に格納しておくことが望ましい。保存した情報内容が変わった場合には速やかに新たな情報を保存することが望ましい。またフラッシュメモリに保存した情報の寿命は一般に５〜１０年位と云われているため長期間の保存の場合は光ディスクにも保存しておくことが望ましい。
【００３６】
(位牌について)
位牌は鍵がかかる場所にしまうことが望ましい。また親族などには既に位牌を購入してある旨を伝えておくことが望ましい。
【００３７】
以下図示は省略したが本発明の（台座部と札板部）嵌合手段と（トレーと鞘部）の係止手段の変形例を記載する。
（変形例１）
嵌合手段において、本発明のように台座部にコの字型の枠体を設け、その開口部を塞ぐ嵌合枠を備えた鞘部を設け、その嵌合枠の下端部中央部に凸部を設け、該凸部が嵌合する嵌合孔を前記台座部のコの字型の開口部中央部に設けることにより札板部が台座部に嵌脱自在に嵌合できる位牌が形成できるがその際札板部が台座部から容易に抜けないように、前記台座部に設けた嵌合孔の下部に空間を設け、前記札板部が前記台座部に係止するように嵌合凸部の下端面中央部に回動自在に軸止された係止バーを設けその係止バーを回動させて前記台座部に係止させることにより位牌が形成できる。
【００３８】
（変形例２）
次の嵌合状態においては札板部の下部を保持する台座部が備える枠組は長方型に限定されることなく札板部の下端部に備える嵌合枠と台座部が備える枠体とが嵌脱自在に嵌合して枠組を形成するように構成することにより異なる形状の位牌が形成できる。
【００３９】
（変形例３）
トレーが鞘部に係止する係止手段として、トレーの下縁部の外面中央部に設けた引手に係止棒を適宜紐状で係合状態に係止させ、トレーの底板面が隙間部から露出した左右どちらかの個所にその係止棒が係脱自在に係止する係止孔を鞘部が備える嵌合枠に届くように設けることで位牌が形成できる。
【００４０】
尚、本発明においてトレーを引き出しやすいように鞘部に隙間部を設けその隙間部に収まる引手を設けてその引手に係止手段を備えるように構成したが、フラッシメモリを収納したトレーを鞘部に収めた札板部を台座部に乗せその札板部を台座部のコの字型の枠体の開口部にスライドさせ鞘部に備えた嵌合ピンと枠体に設けた嵌合孔とを嵌合させることにより、鞘部に収納可能で摺動自在のトレーにフラッシュメモリが収納可能であれば鞘部に隙間部を設ける必要もなくトレーに係止手段を設ける必要もなく位牌が形成できる。
【００４１】
また、トレーが鞘部に係止する係止手段と札板部が台座部に嵌合する嵌合手段においては本発明の構成のように鞘部に収納するトレーと、札板部の下端部を保持する台座部が備える枠体と、枠組みを形成する嵌合枠と、を鞘部に設けることにより適宜その手段の組み合わせを変更することができる。
【符号の説明】
【００４２】
１０    台座部
１１    枠体（コの字型）
１２    嵌合孔
２０    札板部
２１    鞘部
２２    嵌合枠
２３    嵌合ピン  
２４    隙間部
３０    トレー
３１    外縁部
３２    下縁部
５０    引手
５１    係止棒
５２    摘み部
５３    係止突部
５４    係止孔
６０    係止マット
６１    ＳＤメモリカード（フラッシュメモリ）
６２    マイクロＳＤカード（フラッシュメモリ）
１００    位牌
【図１】
2019208577.tif 000003
【図２】
2019208577.tif 000004
【図３】
2019208577.tif 000005
【図４】
2019208577.tif 000006
【図５】
2019208577.tif 000007
【図６】
2019208577.tif 000008
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
台座部と札板部と、から成る位牌であって、
前記台座部は前記札板部の下部を保持する高さを有したコの字型に形成された枠
体を備え、
前記札板部は内部が中空で下端部が開口した鞘状を呈した鞘部と、
前記鞘部の内部に摺動自在に収納したトレーと、で構成され、
前記鞘部に該鞘部の長手方向下端部の外面片側に前記コの字型の枠体の開口部を塞ぐ長方型の枠組みを形成する嵌合枠を固着状態で設け、
前記嵌合枠を設けた前記鞘部に前記トレーを収納した前記札板部と前記台座部とが一体化することを特徴とするトレーを具備した位牌。
【請求項２】
前記トレーは平板状で、
その下端部を除く外周部に前記鞘部の内面短手方向に摺動自在に摺接する外縁部を形成し、
下部には下縁部を備え、
前記下縁部は前記コの字型の枠体の高さを下回る位置に設けられ、
前記下縁部の外面中央部に前記平板状のトレーの下端部に収まる突出した引手を備え、
前記引手は前記鞘部の内部に係止する係止手段を備えたことを特徴とする請求項１に記載のトレーを具備した位牌。
【請求項３】
前記引手は前記トレーを前記鞘部の内部を摺動自在に摺動させその縦方向中央部に上下に摺動可能な係止棒を備え、
前記係止棒は下縁部の短手方向の長さを有し、
頭部に摘み部を備え、
下部に係止突部を備え、
そして前記鞘部に設けた前記嵌合枠を備えた側の内面下部の中央部に前記係止突部が係脱自在に嵌合係止する係止孔を設け、
前記トレーを前記鞘部の内部に係止することができる前記係止棒を備えたことを特徴とする請求項２に記載のトレーを具備した位牌。
【請求項４】
前記コの字型の枠体は左右の断面中央部に嵌合孔を備え、
前記鞘部に設けられた前記嵌合枠はその左右に前記嵌合孔に嵌合係止する嵌合ピンを備え、
前記嵌合ピンが前記嵌合孔に嵌脱自在に嵌合することにより前記鞘部の内部に前記トレーを係止状態で収納した前記札板部と前記台座部とが一体化し、
前記札板部が前記台座部に立設するように構成したことを特徴とする請求項１から請求項３のいずれか１項に記載のトレーを具備した位牌。
【請求項５】
前記トレーはＵＳＢメモリ、ＳＤメモリカード、ミニＳＤカード、マイクロＳＤカード、などのフラッシュメモリのいずれかを少なくとも一つを出し入れ自在に格納できるように構成したことを特徴とする請求項２に記載のトレーを具備した位牌。
【請求項６】
前記フラシュメモリは本人が死亡した後に、その人の葬儀やその人の所有する財産又は相続などに関する私的な情報、又は生前の写真、動画、音声などのアーカイブデータを親族などのために保存した記憶メディアであって、  
そのフラッシュメモリを前記位牌の内部に設けた前記トレーに格納して保全できるようにし、その人が死亡した時にそのフラッシュメモリが情報伝達手段として機能するように構成したことを特徴とする請求項５に記載のトレーを具備した位牌。
【請求項７】
前記トレーは前記フラッシュメモリを内部に係止させる係止マットを備えたことを特徴とする請求項５に記載のトレーを具備した位牌。  
【手続補正２】
【補正対象書類名】明細書
【補正対象項目名】００１６
【補正方法】変更
【補正の内容】
【００１６】
本発明は台座部と札板部と、から成る位牌であって、前記台座部は前記札板部の下部を保持する高さを有したコの字型に形成された枠体を備え、前記札板部は内部が中空で下端部が開口した鞘状を呈した鞘部と、前記鞘部の内部に摺動自在に収納したトレーと、で構成され、前記鞘部は該鞘部の長手方向下端部の外面片側に前記コの字型の枠体の開口部を塞ぐ長方型の枠組みを形成する嵌合枠を固着状態で設け、前記嵌合枠を設けた前記鞘部に前記トレーを収納した前記札板部と前記台座部とが一体化する。